【手続補正書】
【提出日】平成27年1月21日(2015.1.21)
【手続補正１】
【補正対象書類名】特許請求の範囲
【補正対象項目名】全文
【補正方法】変更
【補正の内容】
【特許請求の範囲】
【請求項１】
ＴＤＤ（Ｔｉｍｅ  Ｄｉｖｉｓｉｏｎ  Ｄｕｐｌｅｘ）無線通信システムにおいてユーザー機器によって制御情報を基地局に伝送する方法であって、前記ＴＤＤ無線通信システムは、プライマリセル及びセカンダリセルを含む複数のサービングセルのアグリゲーションをサポートし、前記方法は、
ダウンリンクサブフレームにおいて前記基地局から、前記プライマリセル及び前記セカンダリセルのうちの少なくとも一つを通してＰＤＣＣＨ（Ｐｈｙｓｉｃａｌ  Ｄｏｗｎｌｉｎｋ  Ｃｏｎｔｒｏｌ  Ｃｈａｎｎｅｌ）及びＰＤＳＣＨ（Ｐｈｙｓｉｃａｌ  Ｄｏｗｎｌｉｎｋ  Ｓｈａｒｅｄ  Ｃｈａｎｎｅｌ）のうちの少なくとも一つを受信することと、
アップリンクサブフレームにおいて前記受信されたＰＤＣＣＨ又はＰＤＳＣＨに関する制御情報を前記プライマリセル又は前記セカンダリセルを通して前記基地局に伝送することと
を含み、
前記プライマリセル及び前記セカンダリセルが、異なるアップリンク−ダウンリンク（ＵＬ−ＤＬ）構成で構成される場合に、前記ダウンリンクサブフレームと前記アップリンクサブフレームとの間のタイミング関係は、基準ＵＬ−ＤＬ構成に従って定義され、
前記基準ＵＬ−ＤＬ構成は、前記異なるＵＬ−ＤＬ構成のうち、最小数のアップリンクサブフレームを有するＵＬ−ＤＬ構成として決定され、
前記プライマリセルは、その上でＰＵＣＣＨ（Ｐｈｙｓｉｃａｌ  Ｕｐｌｉｎｋ  Ｃｏｎｔｒｏｌ  Ｃｈａｎｎｅｌ）が伝送されるセルであり、前記セカンダリセルは、前記複数のサービングセルのうち、前記プライマリセルとは異なるセルである、方法。
【請求項２】
サービングセルに対する無線フレーム内のサブフレーム構成は、以下の表
【表１】
2014513458.tif 000001
に基づいて前記サービングセルに対して構成されたＵＬ−ＤＬ構成に従って定義され、
Ｄは、ダウンリンクサブフレームを示し、Ｕは、アップリンクサブフレームを示し、Ｓは、ダウンリンク期間と、ガード期間と、アップリンク期間とを含むサブフレームを示す、請求項１に記載の方法。
【請求項３】
前記アップリンクサブフレームは、サブフレームｎに対応し、前記ダウンリンクサブフレームは、サブフレームｎ−ｋに対応し、前記タイミング関係ｋは、以下の表
【表２】
2014513458.tif 000002
に従って定義される、請求項１に記載の方法。
【請求項４】
前記プライマリセルは、前記複数のサービングセルのうち、最小セルインデックスを有する、請求項１に記載の方法。
【請求項５】
前記制御情報は、前記プライマリセル上の前記ＰＵＣＣＨを通して伝送される、請求項１に記載の方法。
【請求項６】
前記制御情報は、前記プライマリセル又は前記セカンダリセル上のＰＵＳＣＨ（Ｐｈｙｓｉｃａｌ  Ｕｐｌｉｎｋ  Ｓｈａｒｅｄ  Ｃｈａｎｎｅｌ）を通して伝送される、請求項１に記載の方法。
【請求項７】
前記制御情報は、ＡＣＫ（ａｃｋｎｏｗｌｅｄｇｅｍｅｎｔ）情報又はＮＡＣＫ（ｎｅｇａｔｉｖｅ  ａｃｋｎｏｗｌｅｄｇｅｍｅｎｔ）情報を含む、請求項１に記載の方法。
【請求項８】
前記制御情報の少なくとも一部をバンドリングすることをさらに含み、
前記バンドリングされた制御情報は、前記基地局に伝送される、請求項１に記載の方法。
【請求項９】
ＴＤＤ（Ｔｉｍｅ  Ｄｉｖｉｓｉｏｎ  Ｄｕｐｌｅｘ）無線通信システムにおいて制御情報を基地局に伝送するように構成されたユーザー機器であって、前記ＴＤＤ無線通信システムは、プライマリセル及びセカンダリセルを含む複数のサービングセルのアグリゲーションをサポートし、前記ユーザー機器は、
ダウンリンクサブフレームにおいて前記基地局から、前記プライマリセル及び前記セカンダリセルのうちの少なくとも一つを通してＰＤＣＣＨ（Ｐｈｙｓｉｃａｌ  Ｄｏｗｎｌｉｎｋ  Ｃｏｎｔｒｏｌ  Ｃｈａｎｎｅｌ）及びＰＤＳＣＨ（Ｐｈｙｓｉｃａｌ  Ｄｏｗｎｌｉｎｋ  Ｓｈａｒｅｄ  Ｃｈａｎｎｅｌ）のうちの少なくとも一つを受信する受信モジュールと、
アップリンクサブフレームにおいて前記受信されたＰＤＣＣＨ又はＰＤＳＣＨに関する制御情報を前記プライマリセル又は前記セカンダリセルを通して前記基地局に伝送する伝送モジュールと、
プロセッサであって、前記プライマリセル及び前記セカンダリセルが、異なるアップリンク−ダウンリンク（ＵＬ−ＤＬ）構成で構成される場合に、前記プロセッサは、
前記異なるＵＬ−ＤＬ構成のうち、最小数のアップリンクサブフレームを有するＵＬ−ＤＬ構成として、基準ＵＬ−ＤＬ構成を決定することと、
前記基準ＵＬ−ＤＬ構成に従って、前記ダウンリンクサブフレームと前記アップリンクサブフレームとの間のタイミング関係を定義することと
を行う、プロセッサと
を備え、
前記プライマリセルは、その上でＰＵＣＣＨ（Ｐｈｙｓｉｃａｌ  Ｕｐｌｉｎｋ  Ｃｏｎｔｒｏｌ  Ｃｈａｎｎｅｌ）が伝送されるセルであり、前記セカンダリセルは、前記複数のサービングセルのうち、前記プライマリセルとは異なるセルである、ユーザー機器。
【請求項１０】
サービングセルに対する無線フレーム内のサブフレーム構成は、以下の表
【表３】
2014513458.tif 000003
に基づいて前記サービングセルに対して構成されたＵＬ−ＤＬ構成に従って定義され、
Ｄは、ダウンリンクサブフレームを示し、Ｕは、アップリンクサブフレームを示し、Ｓは、ダウンリンク期間と、ガード期間と、アップリンク期間とを含むサブフレームを示す、請求項９に記載のユーザー機器。
【請求項１１】
前記アップリンクサブフレームは、サブフレームｎに対応し、前記ダウンリンクサブフレームは、サブフレームｎ−ｋに対応し、前記タイミング関係ｋは、以下の表
【表４】
2014513458.tif 000004
に従って定義される、請求項９に記載のユーザー機器。
【請求項１２】
前記プライマリセルは、前記複数のサービングセルのうち、最小インデックスを有する、請求項９に記載のユーザー機器。
【請求項１３】
前記制御情報は、前記プライマリセル上の前記ＰＵＣＣＨを通して伝送される、請求項９に記載のユーザー機器。
【請求項１４】
前記制御情報は、前記プライマリセル又は前記セカンダリセル上のＰＵＳＣＨ（Ｐｈｙｓｉｃａｌ  Ｕｐｌｉｎｋ  Ｓｈａｒｅｄ  Ｃｈａｎｎｅｌ）を通して伝送される、請求項９に記載のユーザー機器。
【請求項１５】
前記制御情報は、ＡＣＫ（ａｃｋｎｏｗｌｅｄｇｍｅｎｔ）情報又はＮＡＣＫ（ｎｅｇａｔｉｖｅ  ａｃｋｎｏｗｌｅｄｇｅｍｅｎｔ）情報を含む、請求項９に記載のユーザー機器。
【請求項１６】
前記プロセッサは、前記制御情報の少なくとも一部をバンドリングし、前記バンドリングされた制御情報は、前記基地局に伝送される、請求項９に記載のユーザー機器。
【手続補正２】
【補正対象書類名】明細書
【補正対象項目名】０００８
【補正方法】変更
【補正の内容】
【０００８】
本発明で得られる効果は、以上で言及した効果に制限されず、言及していない他の効果は、下の記載から、本発明の属する技術の分野における通常の知識を有する者には明確に理解されるであろう。
本発明は、例えば、以下を提供する。
（項目１）
無線通信システムにおいて端末が制御情報を基地局に伝送する方法であって、
上記基地局から、上記端末に構成された少なくとも一つのサービングセルを用いてＰＤＣＣＨ（Ｐｈｙｓｉｃａｌ  Ｄｏｗｎｌｉｎｋ  Ｃｏｎｔｒｏｌ  Ｃｈａｎｎｅｌ）及びＰＤＳＣＨ（Ｐｈｙｓｉｃａｌ  Ｄｏｗｎｌｉｎｋ  Ｓｈａｒｅｄ  ＣＨａｎｎｅｌ）のうち少なくとも一つを受信することと、
上記ＰＤＣＣＨ受信又は上記ＰＤＣＣＨが指示するＰＤＳＣＨ受信に関する制御情報を上記基地局に伝送することと、
を含み、
上記制御情報は、上記少なくとも一つのサービングセルのプライマリセル（Ｐｒｉｍａｒｙ  Ｃｅｌｌ）及び第１セルのうち少なくとも一つの制御情報フィードバックタイミング（ｔｉｍｉｎｇ）を用いて、上記プライマリセルのＰＵＣＣＨ（Ｐｈｙｓｉｃａｌ  Ｕｐｌｉｎｋ  Ｃｏｎｔｒｏｌ  Ｃｈａｎｎｅｌ）で伝送され、
上記少なくとも一つのサービングセルは、相互に異なったアップリンク及びダウンリンク構成（ＵＬ−ＤＬ構成、ＵＬ−ＤＬ  ｃｏｎｆｉｇｕｒａｔｉｏｎ）を利用可能である、制御情報の伝送方法。
（項目２）
上記第１セルは、上記基地局から受信した情報を用いて決定されたり、又は上記少なくとも一つのサービングセルが利用する相互に異なったＵＬ−ＤＬ構成を用いて決定される、項目１に記載の制御情報の伝送方法。
（項目３）
上記第１セルは、上記少なくとも一つのサービングセルのうち、最も少ないアップリンクサブフレームを有するＵＬ−ＤＬ構成を利用したり、或いは最も多いサブフレームを有するＵＬ−ＤＬ構成を利用するセルである、項目１に記載の制御情報の伝送方法。
（項目４）
上記第１セルは、上記少なくとも一つのサービングセルのうち、最小インデックス（ｌｏｗｅｓｔ  Ｉｎｄｅｘ）を有するセルである、項目１に記載の制御情報の伝送方法。
（項目５）
上記少なくとも一つのサービングセルが相互に異なったＵＬ−ＤＬ構成を利用する場合に、上記制御情報は、上記第１セルの制御情報フィードバックタイミングを用いて、上記プライマリセルのＰＵＣＣＨで伝送される、項目１に記載の制御情報の伝送方法。
（項目６）
上記第１セルは複数個である、項目１に記載の制御情報の伝送方法。
（項目７）
上記少なくとも一つのサービングセルが相互に異なったＵＬ−ＤＬ構成を利用する場合に、
上記制御情報のうち、上記プライマリセルに関する制御情報は、上記プライマリセルの制御情報フィードバックタイミングを用いて伝送され、
上記制御情報のうち、セカンダリセル（Ｓｅｃｏｎｄａｒｙ  Ｃｅｌｌ、Ｓｃｅｌｌ）に関する制御情報は、上記第１セルの制御情報フィードバックタイミングを用いて伝送される、項目１に記載の制御情報の伝送方法。
（項目８）
上記第１セルと上記セカンダリセルとが同一のＵＬ−ＤＬ構成を利用する、項目７に記載の制御情報の伝送方法。
（項目９）
上記制御情報は、ＡＣＫ（ａｃｋｎｏｗｌｅｄｇｅｍｅｎｔ）情報又はＮＡＣＫ（ｎｅｇａｔｉｖｅ  ａｃｋｎｏｗｌｅｄｇｅｍｅｎｔ）情報である、項目１に記載の制御情報の伝送方法。
（項目１０）
上記制御情報の少なくとも一部をバンドリング（ｂｕｎｄｌｉｎｇ）することをさらに含み、
上記バンドリングされた制御情報は上記基地局に伝送される、項目１に記載の制御情報の伝送方法。
（項目１１）
無線通信システムにおいて制御情報を基地局に伝送する端末であって、
上記基地局から、上記端末に構成された少なくとも一つのサービングセルを用いてＰＤＣＣＨ（Ｐｈｙｓｉｃａｌ  Ｄｏｗｎｌｉｎｋ  Ｃｏｎｔｒｏｌ  Ｃｈａｎｎｅｌ）及びＰＤＳＣＨ（Ｐｈｙｓｉｃａｌ  Ｄｏｗｎｌｉｎｋ  Ｓｈａｒｅｄ  ＣＨａｎｎｅｌ）のうち少なくとも一つを受信する受信モジュールと、
上記ＰＤＣＣＨ受信又は上記ＰＤＣＣＨが指示するＰＤＳＣＨ受信に関する制御情報を上記基地局に伝送する伝送モジュールと、
上記制御情報が、上記少なくとも一つのサービングセルのプライマリセル（Ｐｒｉｍａｒｙ  Ｃｅｌｌ）及び第１セルのうち少なくとも一つの制御情報フィードバックタイミング（ｔｉｍｉｎｇ）を用いて、上記プライマリセルのＰＵＣＣＨ（Ｐｈｙｓｉｃａｌ  Ｕｐｌｉｎｋ  Ｃｏｎｔｒｏｌ  Ｃｈａｎｎｅｌ）で伝送されるように制御するプロセッサと、
を備え、
上記少なくとも一つのサービングセルは、相互に異なったアップリンク及びダウンリンク構成（ＵＬ−ＤＬ構成、ＵＬ−ＤＬ  ｃｏｎｆｉｇｕｒａｔｉｏｎ）を利用可能である、端末。
（項目１２）
上記第１セルは、上記基地局から受信した情報を用いて決定されたり、又は上記少なくとも一つのサービングセルが利用する相互に異なったＵＬ−ＤＬ構成を用いて決定される、項目１１に記載の端末。
（項目１３）
上記第１セルは、上記少なくとも一つのサービングセルのうち、最も少ないアップリンクサブフレームを有するＵＬ−ＤＬ構成を利用したり、又は最も多いサブフレームを有するＵＬ−ＤＬ構成を利用するセルである、項目１１に記載の端末。
（項目１４）
上記第１セルは、上記少なくとも一つのサービングセルのうち、最小インデックス（ｌｏｗｅｓｔ  Ｉｎｄｅｘ）を有するセルである、項目１１に記載の端末。
（項目１５）
上記少なくとも一つのサービングセルが相互に異なったＵＬ−ＤＬ構成を利用する場合に、
上記制御情報は、上記第１セルの制御情報フィードバックタイミングを用いて、上記プライマリセルのＰＵＣＣＨで伝送される、項目１１に記載の端末。
（項目１６）
上記第１セルは複数個である、項目１１に記載の端末。
（項目１７）
上記少なくとも一つのサービングセルが相互に異なったＵＬ−ＤＬ構成を利用する場合に、
上記プロセッサは、上記制御情報のうち、上記プライマリセルに関する制御情報は、上記プライマリセルの制御情報フィードバックタイミングを用いて伝送され、上記制御情報のうち、セカンダリセル（Ｓｅｃｏｎｄａｒｙ  Ｃｅｌｌ、Ｓｃｅｌｌ）に関する制御情報は、上記第１セルの制御情報フィードバックタイミングを用いて伝送されるように制御する、項目１１に記載の端末。
（項目１８）
上記第１セルと上記セカンダリセルとが同一のＵＬ−ＤＬ構成を利用する、項目１７に記載の端末。
（項目１９）
上記制御情報は、ＡＣＫ（ａｃｋｎｏｗｌｅｄｇｍｅｎｔ）情報又はＮＡＣＫ（ｎｅｇａｔｉｖｅ  ａｃｋｎｏｗｌｅｄｇｅｍｅｎｔ）情報である、項目１１に記載の端末。
（項目２０）
上記プロセッサは、上記制御情報の少なくとも一部をバンドリング（ｂｕｎｄｌｉｎｇ）し、該バンドリングされた制御情報は上記基地局に伝送される、項目１１に記載の端末。